(57)【要約】【課題】  平滑な下地材の上に、外れやすいスペーサーを使わずに一定の隙間を確保するとともに、パネル材の裏面にほどこされている固定用の接着材が、パネル材の取付位置を確定する前に誤って下地材に接着してしまう事を防ぎながら、パネル材を下地材の上に圧着固定できる矩形状のパネル材の取付治具を提供する。【解決手段】  裏面に接着材を有する矩形状のパネル材の左右両辺と上下の少なくとも一辺に、下地材の表面にパネル材をセットした際に下地材とパネル裏面の接着材との間に隙間が形成されるよう調整された高さを持つスペーサー片とこのスペーサー片からＬ字形に突設しパネル材を支持する支持片とで構成された矩形状のパネル材の取付治具。【選択図】図５
2014055488.tif 000002
【特許請求の範囲】
【請求項１】
裏面に接着材を有する矩形状のパネル材の左右両辺と上下の少なくとも一辺に仮固定した状態で下地材の表面セットし、パネル材を押圧してパネル材を下地材に圧着固定する取付治具であって、隣接するパネル材間に所定の隙間を確保するスペーサー片とこのスペーサー片からＬ字形に突設しパネル材を支持する支持片とで構成すると共に、その内側にパネル材の仮固定手段を設け、下地材の表面にパネル材をセットした際に下地材とパネル裏面の接着材との間に隙間が形成されるようスペーサーの高さを接着材付きパネル材の厚さよりも大にしたことを特徴とする矩形状のパネル材の取付治具。
【請求項２】
矩形状のパネル材の左右両辺と上下の少なくとも一辺に配された、所定の隙間を確保するためのスペーサー片とパネル材を仮固定するための支持片からなる枠材１を横架材でつないで一体化したことを特徴とする請求項１に記載の矩形状のパネル材の取付治具。
【請求項３】
横架材の長さを調節自在にしたことを特徴とする請求項２に記載の矩形状のパネル材の取付治具。
【発明の詳細な説明】
【技術分野】
【０００１】
本発明は、平滑な下地材の上に、鏡、化粧ボード、薄膜積層複合材その他の矩形状のパネル材を取り付けるための取付治具に関する。
【背景技術】
【０００２】
従来の矩形状のパネル材の取付方法は、図１０に示すように、取り付けようとするパネル材８の裏面に固定用の両面テープや接着剤をほどこし、既存枠材１１や貼り付け済パネル材１３との取り合い部分に、所定の隙間ｔ３を確保するためのスペーサー１４を挟み込んで、目視で垂直を確認しながらパネル材８を下地材１２の上に圧着固定していくという方法が取られていた。
【０００３】
ここでいう所定の隙間とは、製品の製作誤差による目地のズレを吸収するために設けるもので、化粧目地として利用したり、コーキングその他の接着材でパネル材の二次固定を行ったりするために利用される隙間のことを言う。
【０００４】
そのほかに特筆すべき施工方法や先行技術は見当たらず、わずかにスペーサー１４を落ちにくくするよう工夫された製品が有る程度で、ほとんどは作業員の技量にゆだねられていた。
【発明の概要】
【発明が解決しようとする課題】
【０００５】
しかしながら、以上の技術によれば、所定の隙間ｔ３を確保するためのスペーサー１４がすぐに落ちてしまい非常にわずらわしかった。また、少し手元が狂うと取り付けようとするパネル材８の裏面にほどこされている固定用の接着材が、パネル材の取付位置を確定する前に誤って下地材１２に接着してしまい、何度もめくって貼り直さなければならない、という失敗が繰り返されていた。
【０００６】
そこで本発明は、外れやすいスペーサー１４を使わずに所定の隙間ｔ３を確保するとともに、パネル材８の裏面にほどこされている固定用の接着材が、パネル材の取付位置を確定する前に誤って下地材に接着してしまう事を防ぎながら、パネル材８を下地材１２の上に圧着固定できる矩形状のパネル材の取付治具を提供することを目的とする。
【課題を解決するための手段】
【０００７】
以上の課題を解決するために、請求項１の発明にあっては、裏面に接着材を有する矩形状のパネル材の左右両辺と上下の少なくとも一辺に仮固定した状態で下地材の表面にセットし、パネル材を押圧してパネル材を下地材に圧着固定する取付治具であって、隣接するパネル材間に所定の隙間を確保するスペーサー片とこのスペーサー片からＬ字形に突設しパネル材を支持する支持片とで構成すると共に、その内側にパネル材の仮固定手段を設け、下地材の表面にパネル材をセットした際に下地材とパネル裏面の接着材との間に隙間が形成されるようスペーサーの高さを接着材付きパネル材の厚さよりも大にしたことを特徴とする。
【０００８】
請求項２の発明にあっては、矩形状のパネル材の左右両辺と上下の少なくとも一辺に配された、所定の隙間を確保するためのスペーサー片とパネル材を仮固定するための支持片からなる枠材１を横架材でつないで一体化したことを特徴とする。
【０００９】
請求項３の発明にあっては、  横架材の長さを調節自在にしたことを特徴とする。
【発明の効果】
【００１０】
請求項１の発明によれば、下地材の表面に矩形状のパネル材をセットした際に下地材とパネル裏面の接着材との間に隙間が形成されるようスペーサーの高さを接着材付きパネル材の厚さよりも大にしたスペーサー片からＬ字形に突設したパネル材を支持する支持片の内側に設けられたパネル材の仮固定手段でパネル材を仮固定し、下地材の表面にセットして微妙な位置決めをした後にパネル材を押圧してパネル材を下地材に圧着固定することができるので、作業員の熟練性や特殊技能は必要なく、誰でも一人で簡単に矩形状のパネル材を取り付けることができる。
【００１１】
パネル材を押圧するまでは、パネル材は本発明側に仮固定されており、下地材の表面にパネル材をセットした際に下地材とパネル裏面の接着材との間に隙間が形成されているので、パネル材が誤って下地材に接着してしまうということは無く、何度でも細かな位置調整ができる。
【００１２】
また、矩形状のパネル材が、隣接するパネル材間に所定の隙間を確保するスペーサー片によって挟持されているので、本発明を既存枠材１１や貼り付け済パネル材１３との取り合い部分に押し当てるだけで、誰でも間違えずに所定の隙間を確保することができる。
【００１３】
請求項２の発明によれば、矩形状のパネル材の左右両辺と上下の少なくとも一辺に配された、所定の隙間を確保するためのスペーサー片とパネル材を仮固定するための支持片からなる枠材１を横架材でつないで一体化したため、運搬、取付作業を行う際より安定した形で作業を行うことができる。
【００１４】
請求項３の発明によれば、横架材の長さを調節自在にしたため、いろいろな巾の矩形状のパネル材に対応できる。
【図面の簡単な説明】
【００１５】
【図１】本発明の一実施形態を示す斜視図である。
【図２】図１の実施形態を、新規パネル材と共に裏側から見た斜視図である。
【図３】図１の実施形態を示す正面図である。
【図４】図３における矢視Ａ-Ａ間の断面図である。
【図５】図４におけるＣ部分の拡大図である。
【図６】図３における矢視Ｂ-Ｂ間の断面詳細図である。
【図７】図１の実施形態の運搬時の使用状態を示す斜視図である。
【図８】図１の実施形態の取り付け作業時の使用状態を示す斜視図である。
【図９】本発明の他の実施形態を示す斜視図である。
【図１０】従来技術での取り付け作業時の状態を示す斜視図である。
【発明を実施するための形態】
【００１６】
図１乃至図９は、本発明のパネル材の取付治具の実施例を示すものである。
以下、図に基づいて詳細を説明する。
【００１７】
本発明で取り扱われるパネル材８は矩形状のものとし、本発明は該パネル材８の左右両側と少なくとも上下の一方側に所定の隙間ｔ３を確保するスペーサー片１ａを配して該パネル材８を挟持する構造とする。
【００１８】
このスペーサー片１ａは、下地材１２の表面にパネル材８をセットした際に下地材１２とパネル裏面の接着材９との間に隙間ｔ２が形成されるようスペーサーの高さを接着材付きパネル材の厚さよりも大にした深さｔ１を有するものとする。
【００１９】
また、このスペーサー片１ａからＬ字形に突設しパネル材を支持する支持片１ｂの内側に設けられたパネル材の仮固定手段６でパネル材８を仮固定する構造とする。
【００２０】
図１は、本発明の一実施形態を示す斜視図である。
本実施形態は、隣接するパネル材間に所定の隙間ｔ３を確保するスペーサー片１ａとこのスペーサー片１ａからＬ字形に突設しパネル材を支持する支持片１ｂとで構成された枠材１と、支持片１ｂの内側に設けられたパネル材の仮固定手段６、矩形状のパネル材の左右両辺にある該枠材１をつないで一体化し、さらに長さを調節自在とした横架材、及びその他の補足部材からなる矩形状のパネル材の取付治具である。
【００２１】
図２は、図１の実施形態を、新規パネル材と共に裏側から見た斜視図である。
仮固定手段用接着材６でパネル材８を仮固定する。９は、パネル材８の裏面にほどこされている固定用の接着材である。
【００２２】
上記仮固定手段６としては特に限定されず、通常の接着用に用いられるものであればいずれも用いることができる。パネル材８が磁力に反応するものであれば磁石でもかまわない。本発明の目的上、脱着が容易でクッション性の有ることから、耐震マットのような軟接着性のシートが好適である。
【００２３】
図３は、図１の実施形態を示す正面図である。
本実施形態では、横架材の長さを調節自在とするために横架材はさや管２及びスライド部３で構成されており、それぞれにガタツキ防止用のピース材１０ａ及び１０ｂが取り付けられている。このピース材１０ａ及び１０ｂは抜け止め防止の機能も兼ねる。
【００２４】
また、この時設けられる横架材は、一本でも良いし複数本でもかまわない。
【００２５】
本実施形態では、横架材の長さを調節自在とする方法としてスライド式としているが、他の方法でも良く特に限定されない。
【００２６】
図４は、図３における矢視Ａ-Ａ間の断面図である。
スライド部３がさや管２の中を矢印のようにスライドし、横架材の長さを調節自在とする。
【００２７】
図５は、図４におけるＣ部分の拡大図である。
隣接するパネル材間に設けるスペーサー片１ａと仮固定手段６を設けるための支持片１ｂとで枠材１を構成する。
【００２８】
隣接するパネル材間に設けるスペーサー片１ａの厚みと厚み調整用部材７の厚みをあわせた寸法が本実施形態における所定の隙間ｔ３となる。
【００２９】
所定の隙間ｔ３の寸法が何らかの理由で変更された場合、スペーサー片１ａの内側側面に貼られた厚み調整用部材７の厚みを変更することで対応できる。
【００３０】
この部材７としては特に限定されないが、加工のしやすさや入手のしやすさからゴム板または樹脂板が好適である。
【００３１】
また、この部材７を枠材１の深さｔ１よりも１〜２mm大きくすることで枠材１の金属部分が直接下地部分に触れないようになり、下地材１２の表面を保護する機能を付加できる。
【００３２】
パネル材８を押圧するまでは、パネル材８は枠材１側に仮固定されており、下地材１２の表面にパネル材８をセットした際に下地材１２とパネル裏面の接着材９との間に隙間ｔ２が形成されているので、パネル材８が誤って下地材１２に接着してしまうということは無く、何度でも細かな位置調整ができる。
【００３３】
また、矩形状のパネル材８が、枠材１によって挟持されているので、枠材１を既存枠材１１や貼り付け済パネル材１３との取り合い部分に押し当てるだけで、誰でも間違えずに所定の隙間ｔ３を確保することができる。
【００３４】
図６は、図３における矢視Ｂ-Ｂ間の断面詳細図である。
既存枠１１の水平が悪い場合は、調整用ネジ５で本実施形態のレベルを調整する。
【００３５】
図７は、図１の実施形態の運搬時の使用状態を示す斜視図である。
横架材２に取り付けられた取手４を持って運搬するので、パネル材８を汚したり、傷つけたりすることがない。また、矩形状のパネル材８は、枠材１で3方向から挟持された上に、枠材１の内側に設けられた仮固定手段用接着材６の働きで仮固定されているので脱落することは無く、安定した形で運搬、取付作業が行える。
【００３６】
本実施形態のように、上下の一方側にスペーサー片を設けない場合、パネル材８の高さ寸歩に制限を受けず、長さを調節自在とした横架材と相まっていろいろな大きさの矩形状のパネル材に対応することができる。
但し、より安定した形で挟持できるよう、上下共にスペーサー片を配してももちろんかまわない。
【００３７】
図８は、図１の実施形態の取り付け作業時の使用状態を示す斜視図である。
矩形状のパネル材８が、枠材１によって挟持されているので、枠材１を既存枠材１１や貼り付け済パネル材１３との取り合い部分に押し当てるだけで、誰でも間違えずに縦、横とも所定の隙間ｔ３を確保することができる。
【００３８】
パネル材を押圧するまではパネル材８は枠材１側に仮固定されており、下地材１２から離れた状態で枠材１によって囲われているので、パネル材の取付位置が確定した後に意識的に新規パネル材８を押し込んで枠材１より剥離しない限り、パネル材８が誤って下地材１２に接着してしまうということは無く、何度でも細かな位置調整ができる。
【００３９】
図９は、本発明の他の実施形態を示す斜視図である。
図１の実施形態では、横架材の長さを調節自在とすることでパネル材８の巾の変化に対応していたが、他の実施形態では、ｔ１の深さを持つ枠用ピース材１ｃ及び１ｄを、仮固定手段用接着材６によって直接矩形状のパネル材８に貼り付けて施工するような形態でも良い。
【００４０】
この時、ｔ１の深さを持つ枠用ピース材１ｃ及び１ｄの枠材１の内側側面には、所定の隙間ｔ３用の厚み調整用部材７が取り付けられているので、パネル材８に取り付けられた枠用ピース材１ｃ及び１ｄを既存枠材１１や貼り付け済パネル材１３との取り合い部分に押し当てるだけで、誰でも間違えずに縦、横とも所定の隙間ｔ３を確保することができる。
【００４１】
また、この厚み調整用部材７は、枠用ピース材１ｃ及び１ｄの深さｔ１よりも１〜２mm大きくすることで枠材１の金属部分が直接下地部分に触れないようにし、下地材１２の表面を保護することができる。
【００４２】
ｔ１の深さを持つ枠用ピース材１ｃ及び１ｄを使用することで、パネル材８の裏面にほどこされている固定用の接着材９が、パネル材８の取付位置を確定する前に誤って下地材１２に接着してしまうのを防ぐことができる。
【符号の説明】
【００４３】
１     ・矩形状のパネル材を挟持するための枠材（＝１ａ＋１ｂで構成される）
１ａ   ・隣接するパネル材間に設けるスペーサー片
１ｂ   ・１ａからＬ字形に突設しパネル材を支持する支持片
１ｃ   ・枠用ピース材（他の実施形態）
１ｄ   ・１ｃをＬ型に加工した枠用ピース材（他の実施形態）
２     ・さや管
３     ・スライド部
４     ・取手
５     ・レベル調整用ネジ
６     ・仮固定手段用接着材
７     ・ｔ３用の厚み調整用部材
８     ・矩形状のパネル材
９     ・矩形状のパネル材の裏面にほどこされている固定用の接着材
１０ａ ・さや管部抜け止め兼ガタツキ防止用ピース材
１０ｂ ・スライド部抜け止め兼ガタツキ防止用ピース材
１１   ・既存枠材
１２   ・下地材
１３   ・貼り付け済パネル材
１４   ・所定の隙間ｔ３を確保するためのスペーサー（従来の技術）
ｔ１   ・枠材１の深さ
ｔ２   ・下地材とパネル裏面の接着材との間に出来た隙間
ｔ３   ・所定の隙間（＝枠材１の厚み＋厚み調整用部材７の厚みの合計）
【図１】
2014055488.tif 000003
【図２】
2014055488.tif 000004
【図３】
2014055488.tif 000005
【図４】
2014055488.tif 000006
【図５】
2014055488.tif 000007
【図６】
2014055488.tif 000008
【図７】
2014055488.tif 000009
【図８】
2014055488.tif 000010
【図９】
2014055488.tif 000011
【図１０】
2014055488.tif 000012